(57)【要約】【課題】  放送された更新データの取り漏らしを補完し、放送による更新データに対する課金を容易にすること。【解決手段】  暗号化された更新データをディジタル放送網で受信するが、放送送で受信できなかった移動端末１１０はモバイルIP網１４１を経由して暗号化された更新データを受信する。放送で受信した場合でもモバイルIP網から受信した場合でも、移動端末１１０はデータセンタ１２０に対し、復号化鍵を要求する。この際に、復号化鍵の送信によって課金を行う。【選択図】  図１
2007163357.tif 000002
【特許請求の範囲】
【請求項１】
更新データを暗号化してディジタル放送網を介したディジタル放送によってデータセンタ装置からカーナビゲーション端末に向けて送信する第１のステップと、カーナビゲーション端末においてディジタル放送によって送信された更新データを受信し、記憶手段に記憶する第２のステップと、カーナビゲーション端末からモバイルＩＰ網を介して前記データセンタ装置に対し、更新データの一覧を要求し、更新データの一覧を取得する第３のステップと、更新データの一覧中に示された更新データが前記記憶手段に記憶されているかを判定し、記憶されていたならば、当該更新データの復号鍵をカーナビゲーション端末からモバイルＩＰ網を介して前記データセンタ装置に要求する第４のステップと、データセンタ装置から前記復号鍵をモバイルＩＰ網を介して要求元のカーナビゲーション端末に返信する第５のステップと、カーナビゲーション端末において前記受信した復号鍵によって前記記憶手段に記憶した更新データを復号し、その復号データにより更新対象データを更新する第６のステップと、前記更新データの一覧中に示された更新データが前記記憶手段に記憶されていなければ、カーナビゲーション端末からモバイルＩＰ網を介して前記データセンタ装置に対して暗号化された更新データと復号鍵の配信を要求し、モバイルＩＰ網を介して前記データセンタ装置から配信された暗号化更新データと復号鍵を受信し、復号鍵によって復号した更新データによって更新対象データを更新する第７のステップとを備えることを特徴とするカーナビゲーション端末用データの更新方法。
【請求項２】
前記データセンタ装置において、前記復号鍵の送信要求時にカーナビゲーション端末から受信した端末識別情報により要求元のカーナビゲーション装置を特定し、その特定したカーナビゲーション装置に対して更新データの更新にかかる課金処理を行う第８のステップを備えることを特徴とする請求項１に記載のカーナビゲーション端末用データの更新方法。
【請求項３】
データセンタ装置とカーナビゲーション端末とから成り、
前記データセンタ装置が、
更新データを暗号化してディジタル放送網を介したディジタル放送によってカーナビゲーション端末に向けて送信する第１の手段と、前記更新データを復号するための復号鍵をモバイルＩＰ網を介して要求元のカーナビゲーション端末に送信する第２の手段と、カーナビゲーション端末からモバイルＩＰ網を介して受信した暗号化された更新データと復号鍵の配信要求に対し、当該暗号化された更新データと復号鍵を要求元のカーナビゲーション端末にモバイルＩＰ網を介して返信する第３の手段とを備え、
前記カーナビゲーション端末が、
ディジタル放送によって送信された更新データを受信し、記憶手段に記憶する第４の手段と、モバイルＩＰ網を介して前記データセンタ装置に対し、更新データの一覧を要求し、更新データの一覧を取得する第５の手段と、更新データの一覧中に示された更新データが前記記憶手段に記憶されているかを判定し、記憶されていたならば、当該更新データの復号鍵をモバイルＩＰ網を介して前記データセンタ装置に要求する第６の手段と、受信した復号鍵によって前記記憶手段に記憶した更新データを復号し、その復号データにより更新対象データを更新する第７の手段と、前記更新データの一覧中に示された更新データが前記記憶手段に記憶されていなければ、モバイルＩＰ網を介して前記データセンタ装置に対して暗号化された更新データと復号鍵の配信を要求し、モバイルＩＰ網を介して前記データセンタ装置から配信された暗号化更新データと復号鍵を受信し、復号鍵によって復号した更新データによって更新対象データを更新する第８の手段とを備えることを特徴とするカーナビゲーション端末用データの更新システム。
【請求項４】
前記データセンタ装置が、前記復号鍵の送信要求時にカーナビゲーション端末から受信した端末識別情報により要求元のカーナビゲーション装置を特定し、その特定したカーナビゲーション装置に対して更新データの更新にかかる課金処理を行う第９の手段を備えることを特徴とする請求項３に記載のカーナビゲーション端末用データの更新システム。
【発明の詳細な説明】
【技術分野】
【０００１】
本発明は、カーナビゲーション端末における地図データ等のデータの更新方法及びシステムに関するものである。
【背景技術】
【０００２】
カーナビゲーションシステムにおいて利用する道路地図や地点情報は日々変化する実際の道路などに対応するために更新される必要がある。しかし、DVD-ROMなどの販売による最新データの更新は1年単位など更新間隔が長いため、実際に存在しない道路に案内されたりするといった不都合が発生することが多い。
【０００３】
これを解決する手段として、下記の特許文献１に開示されているように、ディジタル放送などを利用して道路地図などの更新データを送信するシステムがある。
【特許文献１】特開２００１−１２９５７
【発明の開示】
【発明が解決しようとする課題】
【０００４】
ディジタル放送は低コストで多数のカーナビゲーション端末に対しデータ送信を行えるが、放送による更新データの送信は通信帯域が限られているため、同じ更新データを常に放送することはできない。そのため、要求される頻度の多い比較的新しい更新データを放送することになる。
しかし、ディジタル放送受信装置の電源が常に入っていなかったり、長期間電源がＯＦＦのままであった場合、更新データの取り漏らしが発生する。また、ディジタル放送で受信した更新データは放送センタではいつ誰が受信したかが判らず、更新データに対する課金の請求先を特定できないという問題がある。
【０００５】
本発明の目的は、ディジタル放送によって放送された地図データなどの更新データの受信漏れを補完し、放送による更新データに対する課金を容易にすることができるカーナビゲーション端末用データの更新方法及びシステムを提供することにある。
【課題を解決するための手段】
【０００６】
本発明に係るカーナビゲーション端末用データの更新方法は、更新データを暗号化してディジタル放送網を介したディジタル放送によってデータセンタ装置からカーナビゲーション端末に向けて送信する第１のステップと、カーナビゲーション端末においてディジタル放送によって送信された更新データを受信し、記憶手段に記憶する第２のステップと、カーナビゲーション端末からモバイルＩＰ網を介して前記データセンタ装置に対し、更新データの一覧を要求し、更新データの一覧を取得する第３のステップと、更新データの一覧中に示された更新データが前記記憶手段に記憶されているかを判定し、記憶されていたならば、当該更新データの復号鍵をカーナビゲーション端末からモバイルＩＰ網を介して前記データセンタ装置に要求する第４のステップと、データセンタ装置から前記復号鍵をモバイルＩＰ網を介して要求元のカーナビゲーション端末に返信する第５のステップと、カーナビゲーション端末において前記受信した復号鍵によって前記記憶手段に記憶した更新データを復号し、その復号データにより更新対象データを更新する第６のステップと、前記更新データの一覧中に示された更新データが前記記憶手段に記憶されていなければ、カーナビゲーション端末からモバイルＩＰ網を介して前記データセンタ装置に対して暗号化された更新データと復号鍵の配信を要求し、モバイルＩＰ網を介して前記データセンタ装置から配信された暗号化更新データと復号鍵を受信し、復号鍵によって復号した更新データによって更新対象データを更新する第７のステップとを備えることを特徴とする。
【０００７】
本発明に係るカーナビゲーション端末用データの更新システムは、データセンタ装置とカーナビゲーション端末とから成り、
前記データセンタ装置が、
更新データを暗号化してディジタル放送網を介したディジタル放送によってカーナビゲーション端末に向けて送信する第１の手段と、前記更新データを復号するための復号鍵をモバイルＩＰ網を介して要求元のカーナビゲーション端末に送信する第２の手段と、カーナビゲーション端末からモバイルＩＰ網を介して受信した暗号化された更新データと復号鍵の配信要求に対し、当該暗号化された更新データと復号鍵を要求元のカーナビゲーション端末にモバイルＩＰ網を介して返信する第３の手段とを備え、
前記カーナビゲーション端末が、ディジタル放送によって送信された更新データを受信し、記憶手段に記憶する第４の手段と、モバイルＩＰ網を介して前記データセンタ装置に対し、更新データの一覧を要求し、更新データの一覧を取得する第５の手段と、更新データの一覧中に示された更新データが前記記憶手段に記憶されているかを判定し、記憶されていたならば、当該更新データの復号鍵をモバイルＩＰ網を介して前記データセンタ装置に要求する第６の手段と、受信した復号鍵によって前記記憶手段に記憶した更新データを復号し、その復号データにより更新対象データを更新する第７の手段と、前記更新データの一覧中に示された更新データが前記記憶手段に記憶されていなければ、モバイルＩＰ網を介して前記データセンタ装置に対して暗号化された更新データと復号鍵の配信を要求し、モバイルＩＰ網を介して前記データセンタ装置から配信された暗号化更新データと復号鍵を受信し、復号鍵によって復号した更新データによって更新対象データを更新する第８の手段とを備えることを特徴とする。
そして、前記データセンタ装置が、前記復号鍵の送信要求時にカーナビゲーション端末から受信した端末識別情報により要求元のカーナビゲーション装置を特定し、その特定したカーナビゲーション装置に対して更新データの更新にかかる課金処理を行う第９の手段を備えることを特徴とする。
【発明の効果】
【０００８】
本発明によれば、更新データを暗号化してディジタル放送網を介して送信し、その更新データを復号するための復号鍵についてはモバイルＩＰ網を介して送信するようにし、復号鍵を配信する際に要求元のカーナビゲーション端末を特定して課金するようにしたため、課金漏れをなくすことができる。
また、カーナビゲーション端末が電源ＯＦＦなどの原因によってディジタル放送網から更新データを受信していなかった場合には、モバイルＩＰ網を介して更新データを配信するため、更新データの受信漏れをなくすことができる。
【発明を実施するための最良の形態】
【０００９】
図１は、本発明の一実施形態を示すシステム構成図である。
本実施の形態に示すシステムは、複数の車両に搭載されたカーナビゲーション装置である移動端末１１０と、地図データの更新データを記憶したデータセンタ１２０と、データセンタ１２０から移動端末１１０に対して更新データをディジタル放送によって配信する放送送信部１３０からなる。
移動端末１１０とデータセンタ１２０は、携帯電話機や公衆無線LANなどのモバイルIP網１４１で接続され、放送送信部１３０は地上ディジタル放送、衛星ディジタル放送等のディジタル放送網１４０により移動端末１１０にデータ放送を行う。放送送信部１３０とデータセンタ１２０は専用線またはLANによって接続される。
【００１０】
カーナビゲーション装置である移動端末１１０は、放送送信部１３０からのディジタル放送波を受信する放送受信部１１１と、ディジタル放送網１４０やモバイルIP網１４１を経て送信されてくる暗号化されたデータを復号化する復号化部１１２と、受信した更新データを記憶するデータ記憶部１１３と、モバイルIP網１４１を経由してデータの送受信を行う送受信部１１４と、ユーザの操作を受け付ける操作部１１５と、操作結果を表示する表示部１１６と、それらを制御する制御部１１７からなる。
データ記憶部１１３には受信した更新データだけでなく、地図データ、アプリケーション、アプリケーションデータ、音楽データ、映像データなども保存される。
更新データには地図の更新データ、アプリケーションの更新データ、音楽や映像などのマルチメディアコンテンツなどが想定される。
【００１１】
更新データの管理と暗号鍵の管理を行うデータセンタ１２０は、更新データを記憶するデータ記憶部１２１と、移動端末１１０とのデータの送受信を行う送受信部１２２と、更新データの暗号化処理を行う暗号化部１２３と、それらを制御する制御部１２４からなる。
【００１２】
図２は、更新データの放送処理のフローチャートである。
データセンタ１２０の制御部１２４は、データセンタ１２０の管理者から指定された更新データを選択する（ステップ２０１）。
次に、データセンタ１２０の暗号化部１２３で更新データを暗号化する（ステップ２０２）。
次に、放送送信部１３０よりディジタル放送網１４０を経由してすべての移動端末１１０に向けて送信される（ステップ２０３）。このとき、電源の入っていない移動端末１１０や受信できない場所にある移動端末１１０は受信できない。
ディジタル放送された更新データを移動端末１１０の放送受信部１１１で受信する（ステップ２０４）と、移動端末１１０の制御部１１７は移動端末１１０のデータ記憶部１１３に暗号化されたまま保存する（ステップ２０５）。この時点ではデータは復号化されていないし、課金もされない。
【００１３】
図３は、更新処理のフローチャートである。
ユーザは移動端末１１０の表示部１１６に表示される案内に従って、移動端末１１０の操作部１１５より更新コマンドを選択する（ステップ３０１）。
更新コマンドが選択されると、移動端末１１０の送受信部１１４よりモバイルIP網１４１を通してデータセンタ１２０に更新可能な更新データの名称一覧の送信を要求する。この要求をデータセンタ１２０の送受信部１２２が受けると、データセンタ１２０の制御部１２４はデータセンタ１２０のデータ記憶部１２１より更新可能な更新データの名称一覧を検索し、データセンタ１２０の送受信部１２２よりモバイルIP網１４１を通して移動端末１１０に更新データの名称一覧を送信する。
【００１４】
更新データの名称一覧を移動端末１１０の送受信部１１４が受け取ると、移動端末１１０の制御部１１７は移動端末の表示部１１６に更新データの名称一覧を表示する（ステップ３０２）。
次に、ユーザは表示された更新データの名称一覧から更新したい更新データを選択する（ステップ３０３）。
次に、移動端末１１０の制御部１１７はユーザの選択した更新データが移動端末１１０のデータ記憶部１１３に存在するかどうか検索を行う（ステップ３０４）。
移動端末１１０のデータ記憶部１１３に該当する更新データが存在しない場合、移動端末１１０の送受信部１１４よりモバイルIP網１４１を通してデータセンタ１２０に該当する更新データの送信を要求する。
【００１５】
データセンタ１２０の送受信部１２２がこの要求を受信すると、データセンタ１２０の制御部１２４はデータセンタ１２０のデータ記憶部１２１より該当する更新データを検索し、データセンタ１２０の暗号化部１２３で暗号化したのち、送受信部１２２よりモバイルIP網１４１を通して移動端末１１０に送信する。
【００１６】
移動端末１１０の送受信部１１４で暗号化された更新データを受信すると、移動端末１１０の制御部１１７は受信した暗号化更新データを移動端末１１０のデータ記憶部１１３に保存する（ステップ３０５）。
なお、ステップ３０４で更新データがすでに存在する場合はステップ３０５の処理は行わない。
【００１７】
次に、移動端末１１０の送受信部１１４よりモバイルIP網１４１を通して暗号化された更新データを復号化するための復号鍵の送信を要求する。この要求をデータセンタ１２０の送受信部１２２で受信すると、データセンタ１２０の制御部１２４はデータセンタ１２２のデータ記憶部１２１より該当更新データの復号鍵を検索し、その復号鍵をデータセンタ１２０の送受信部１２２よりモバイルIP網１４１を通して移動端末１１０に送信し、データセンタ１２０のデータ記憶部１２１の課金テーブルに課金レコードを挿入する。課金レコードついては後述する。
【００１８】
移動端末１１０の送受信部１１４で復号鍵を受信すると、移動端末１１０の制御部１１７は受信した復号鍵を移動端末１１０のデータ記憶部１１３に保存する（ステップ３０６）。
次に、移動端末１１０の制御部１１７は、移動端末１１０のデータ記憶部１１３より暗号化された更新データを検索し、ステップ３０６で受信した復号鍵を用いて復号し、更新を適用する（ステップ３０７）。
【００１９】
図４は、データセンタ１２０のデータ記憶部１２１におけるデータ構造である。
データセンタ１２０のデータ記憶部１２１は、更新データ管理テーブル４００と課金管理テーブル４１０を備えている。
更新データ管理テーブル４００は、更新データの一意に識別するインデックスである更新データID４０１と、ステップ３０２で使用されるユーザが見て内容を理解できるような更新データ名称４０２と、その更新データのデータセンタ１２０のデータ記憶部内１２１での位置（例えばファイル名）を格納する更新データ位置４０３と、更新データの暗号化/復号に使用する鍵４０４と、更新データの課金する場合の価格である課金金額４０５を記憶している。
【００２０】
課金管理テーブル４１０は、課金対象のユーザを一意に識別するインデックスであるユーザID４１１と更新データの一意に識別するインデックスである更新データID４１２を備えている。
ステップ３０６で移動端末１１０から復号鍵の要求を受けたとき、データセンタ１２０の制御部１２４は課金管理テーブル４１０より要求元のユーザIDと要求対象の更新データのIDのペアとなるレコードが存在するか検索する。存在するならば、既に購入済みと判断し、復号鍵を移動端末１１０に送信する。存在しない場合は、課金管理テーブル４１０に新しい課金レコードを追加する。ユーザID４１１には要求元のユーザIDを、更新データID４１２には要求された更新データIDを格納する。その後に、復号鍵を移動端末１１０に送信する。
【図面の簡単な説明】
【００２１】
【図１】本発明の一実施の形態を示すシステム構成図である。
【図２】更新データの放送処理のフローチャートである。
【図３】更新処理のフローチャートである。
【図４】データセンタのデータ記憶部におけるデータ構造である。
【符号の説明】
【００２２】
１１０    移動端末
１１１    放送受信部
１１２    復号化部
１１３    データ記憶部
１１４    送受信部
１２０    データセンタ
１２１    データ記憶部
１２２    送受信部
１２３    暗号化部
１３０    放送送信部
１４０    ディジタル放送網
１４１    モバイルIP網
【図１】
2007163357.tif 000003
【図２】
2007163357.tif 000004
【図３】
2007163357.tif 000005
【図４】
2007163357.tif 000006